(57)【特許請求の範囲】
【請求項１】
撮影検査の検査画像と前記撮影検査が実施された検査日とが関連付けて患者の識別情報毎に記憶された第１データベースと、前記患者の識別情報毎に処置日が関連付けて記憶された第２データベースと、にアクセス可能なコンピュータに、
患者の識別情報の入力を受け付ける受付処理と、
前記第２データベースから、前記受付処理によって受け付けられた識別情報に関連付けられている処置日を抽出する日付抽出処理と、
前記第１データベースから、前記日付抽出処理によって抽出された処置日よりも前の検査日となる処置前検査画像と、前記日付抽出処理によって抽出された処置日よりも後の検査日となる処置後検査画像と、を抽出する画像抽出処理と、
前記画像抽出処理によって抽出された処置前検査画像または処置後検査画像のいずれか一方の画像に対する所定の計測処理が実行されていた場合、他方の画像に対する前記所定の計測処理を実行する計測実行処理と、
前記処置前検査画像および前記処置後検査画像と、前記処置前検査画像に対する前記所定の計測処理の処理結果および前記処置後検査画像に対する前記所定の計測処理の処理結果とを出力する出力処理と、
を実行させることを特徴とする情報提供プログラム。
【請求項２】
前記画像抽出処理は、前記処置日よりも前であって、該処置日にもっとも近い検査日に対応する前記処置前検査画像を抽出することを特徴とする請求項１に記載の情報提供プログラム。
【請求項３】
前記画像抽出処理は、前記処置日よりも後であって、該処置日にもっとも近い検査日に対応する前記処置後検査画像を抽出することを特徴とする請求項１または２に記載の情報提供プログラム。
【請求項４】
前記日付抽出処理は、前記第１データベースから、前記受付処理によって受け付けられた識別情報に関連付けられている検査日を抽出し、
前記出力処理は、前記日付抽出処理によって抽出された処置日および検査日を、前記画像抽出処理によって抽出された処置前検査画像および処置後検査画像とともに出力することを特徴とする請求項１〜３のいずれか一つに記載の情報提供プログラム。
【請求項５】
前記コンピュータに、
被写体が撮影された第１画像と所定の計測処理とが関連付けられた情報と、前記第１画像とは異なる時期に前記被写体が撮影された第２画像とを取得する画像取得処理と、
前記画像取得処理によって取得された前記所定の計測処理を前記第１画像および前記第２画像に実行する計測処理と、を実行させ、
前記出力処理は、
前記計測処理による前記第１画像に対する前記計測処理の処理結果および前記第１画像を、前記第２画像に対する前記計測処理の処理結果および前記第２画像とともに出力することを特徴とする請求項１〜４のいずれか一つに記載の情報提供プログラム。
【請求項６】
前記第１データベースは、前記撮影検査の検査画像と前記撮影検査が実施された検査日と前記撮影検査の撮影対象の部位の名称とを関連付けて前記患者の識別情報毎に記憶しており、
前記第２データベースは、前記患者の識別情報毎に処置日と処置した部位の名称とを関連付けて記憶しており、
前記出力処理は、前記処置前検査画像および前記処置後検査画像に関連付けられた部位の名称が、前記第２データベースに記憶された患者の識別情報に関連付けられた部位の名称と一致する場合、前記処置前検査画像および前記処置後検査画像を出力することを特徴とする請求項１〜５のいずれか一つに記載の情報提供プログラム。
【請求項７】
撮影検査の検査画像と前記撮影検査が実施された検査日とが関連付けて患者の識別情報毎に記憶された第１データベースと、前記患者の識別情報毎に処置日が関連付けて記憶された第２データベースと、にアクセス可能な情報提供装置であって、
患者の識別情報の入力を受け付ける受付部と、
前記第２データベースから、前記受付部によって受け付けられた識別情報に関連付けられている処置日を抽出する日付抽出部と、
前記第１データベースから、前記日付抽出部によって抽出された処置日よりも前の検査日となる処置前検査画像と、前記日付抽出部によって抽出された処置日よりも後の検査日となる処置後検査画像と、を抽出する画像抽出部と、
前記画像抽出部によって抽出された処置前検査画像または処置後検査画像のいずれか一方の画像に対する所定の計測処理が実行されていた場合、他方の画像に対する前記所定の計測処理を実行する計測実行部と、
前記処置前検査画像および前記処置後検査画像と、前記処置前検査画像に対する前記所定の計測処理の処理結果および前記処置後検査画像に対する前記所定の計測処理の処理結果とを出力する出力部と、
を備えることを特徴とする情報提供装置。
【請求項８】
撮影検査の検査画像と前記撮影検査が実施された検査日とが関連付けて患者の識別情報毎に記憶された第１データベースと、前記患者の識別情報毎に処置日が関連付けて記憶された第２データベースと、にアクセス可能なコンピュータが、
患者の識別情報の入力を受け付ける受付処理と、
前記第２データベースから、前記受付処理によって受け付けられた識別情報に関連付けられている処置日を抽出する日付抽出処理と、
前記第１データベースから、前記日付抽出処理によって抽出された処置日よりも前の検査日となる処置前検査画像と、前記日付抽出処理によって抽出された処置日よりも後の検査日となる処置後検査画像と、を抽出する画像抽出処理と、
前記画像抽出処理によって抽出された処置前検査画像または処置後検査画像のいずれか一方の画像に対する所定の計測処理が実行されていた場合、他方の画像に対する前記所定の計測処理を実行する計測実行処理と、
前記処置前検査画像および前記処置後検査画像と、前記処置前検査画像に対する前記所定の計測処理の処理結果および前記処置後検査画像に対する前記所定の計測処理の処理結果とを出力する出力処理と、
を実行することを特徴とする情報提供方法。
【発明の詳細な説明】
【技術分野】
【０００１】
本発明は、情報を提供する情報提供プログラム、情報提供装置および情報提供方法に関する。
【背景技術】
【０００２】
医療機関において、撮影検査の検査結果である検査画像と、該検査画像とは撮影時期の異なる検査画像とが比較され、経過観察が行われることがある。そこで、例えば、最新の検査の検査画像と前回の検査の検査画像とをディスプレイに並べて表示することにより、読影医などのユーザによる経過観察を支援する技術が開示されている。
【先行技術文献】
【特許文献】
【０００３】
【特許文献１】特開２００７−６６０１６号公報
【発明の概要】
【発明が解決しようとする課題】
【０００４】
しかしながら、患者に実施された処置の前後の経過観察を行うユーザ（例えば、読影医）に対して、処置が実施された処置日時を特定させ、該処置日時の前後に実施された検査の検査画像を検索させる手間が生じていた。そのため、処置の前後の経過観察を行うユーザの業務効率を低下させてしまうという問題があった。
【０００５】
本発明は、上述した従来技術による問題点を解消するため、ユーザに対して、実施された処置に対する経過観察を効率的に行わせる情報を提供することができる情報提供プログラム、情報提供装置および情報提供方法を提供することを目的とする。
【課題を解決するための手段】
【０００６】
上述した課題を解決し、目的を達成するため、本発明の一側面によれば、任意の患者の識別情報の入力を受け付け、患者の識別情報毎に処置日付が関連付けて記憶された第２データベースから、受け付けられた識別情報に関連付けられている処置日付を抽出し、撮影検査の検査画像と前記撮影検査が実施された検査日付とが関連付けて患者の識別情報毎に記憶された第１データベースから、抽出された処置日付よりも前の検査日付となる処置前検査画像と、抽出された処置日付よりも後の検査日付となる処置後検査画像と、を抽出し、抽出された処置前検査画像および処置後検査画像を出力する情報提供プログラム、情報提供装置および情報提供方法が提案される。
【発明の効果】
【０００７】
本発明の一側面によれば、ユーザに対して、実施された処置に対する経過観察を効率的に行わせる情報を提供することができるという効果を奏する。
【図面の簡単な説明】
【０００８】
【図１】図１は、実施の形態１にかかる情報提供例を示す説明図である。
【図２】図２は、実施の形態１にかかる情報提供システムの一例を示す説明図である。
【図３】図３は、実施の形態１にかかるコンピュータのハードウェア構成例を示すブロック図である。
【図４】図４は、電子カルテＤＢの記憶内容の一例を示す説明図である。
【図５】図５は、検査ＤＢの記憶内容の一例を示す説明図である。
【図６】図６は、検査区分ＤＢの記憶内容の一例を示す説明図である。
【図７】図７は、画像情報ＤＢの記憶内容の一例を示す説明図である。
【図８】図８は、計測情報ＤＢの記憶内容の一例を示す説明図である。
【図９】図９は、実施の形態１にかかる読影医用端末の機能的構成を示すブロック図である。
【図１０】図１０は、実施の形態１にかかる読影医用端末の表示要求受付処理手順の一例を示すフローチャートである。
【図１１】図１１は、実施の形態１にかかる読影医用端末の比較画像表示処理手順の一例を示すフローチャートである。
【図１２】図１２は、実施の形態１にかかる読影医用端末の計測情報登録処理手順の一例を示すフローチャートである。
【図１３】図１３は、実施の形態１にかかる読影医用端末のディスプレイの表示例を示す説明図である。
【図１４】図１４は、実施の形態２にかかる読影医用端末の機能的構成を示すブロック図である。
【図１５】図１５は、実施の形態２にかかる読影医用端末の読影用画像出力処理手順の一例を示すフローチャートである。
【発明を実施するための形態】
【０００９】
以下に添付図面を参照して、本発明にかかる情報提供プログラム、情報提供装置および情報提供方法の実施の形態を詳細に説明する。
【００１０】
＜実施の形態１＞
まず、本発明にかかる情報提供プログラム、情報提供装置および情報提供方法の実施の形態１について説明する。実施の形態１では、患者を識別するための識別情報が入力された端末が、該患者に手術が実施された手術日時を抽出し、抽出した手術日時の前後に患者に実施された検査の検査画像を抽出し、抽出した検査画像を表示する。これにより、ユーザに対し検査画像の検索を行わせることなく、手術の前後の検査の検査画像の情報を提供することができ、手術に対する経過観察を効率的に行わせることができる。
【００１１】
（情報提供例）
図１は、実施の形態１にかかる情報提供例を示す説明図である。図１においては、患者に検査や処置が実施された日時と、撮影検査の結果の画像とに基づいて、処置の経過観察の読影に用いられる読影用画像が出力されるまでの過程について説明する。以下、撮影検査の結果の画像を、「検査画像」という。また、読影とは、検査画像に基づいた診断が行うことである。以下、読影を行う医師を「読影医」という。
【００１２】
まず、特定の患者には手術が実施されており、手術の処置日時は２０１１年２月８日である。また、該特定の患者には３回のＣＲ（Ｃｏｍｐｕｔｅｄ  Ｒａｄｉｏｇｒａｐｈｙ）検査が実施されており、検査日時は２０１１年２月１日と、２０１１年２月１０日と、２０１１年２月１５日とである。また、ＣＲ検査が実施された各検査日時の情報には、ＣＲ検査の検査画像であるＣＲ画像が紐付けられている。
【００１３】
例えば、ＣＲ画像Ｐ１は、２０１１年２月１日に実施されたＣＲ検査の検査画像である。また、例えば、ＣＲ画像Ｐ２は、２０１１年２月１０日に実施されたＣＲ検査の検査画像であり、ＣＲ画像Ｐ３は、２０１１年２月１５日に実施されたＣＲ検査の検査画像である。各ＣＲ画像は、特定の患者の同一の部位が撮影された画像である。
【００１４】
ここで、手術の処置日時が２０１１年２月８日であることより、ＣＲ画像Ｐ１は、手術よりも前に実施されたＣＲ検査の検査画像であり、ＣＲ画像Ｐ２，Ｐ３は、手術よりも後に実施されたＣＲ検査の検査画像である。
【００１５】
そして、手術よりも後に実施されたＣＲ検査の検査画像であるＣＲ画像Ｐ２，Ｐ３のいずれか一方が、手術よりも前に実施されたＣＲ検査の検査画像であるＣＲ画像Ｐ１とともに並べられて出力される。これにより、手術の前後に実施された検査の検査画像を並べた読影用画像Ｐ４を出力することができる。
【００１６】
また、読影医に対して、手術より前に実施されたＣＲ検査の検査結果と、手術よりも後に実施されたＣＲ検査の検査結果とを比較させることができる。なお、手術よりも後に実施されたＣＲ検査の検査画像としては、ＣＲ画像Ｐ２およびＣＲ画像Ｐ３のいずれの検査画像が出力されるものであってもよい。
【００１７】
（情報提供システムの一例）
図２は、実施の形態１にかかる情報提供システムの一例を示す説明図である。図２において、情報提供システム２００は、読影用画像Ｐ４を提供するシステムである。情報提供システム２００において、読影医用端末２１０と、電子カルテサーバ２２０と、読影医用システム２３０とは、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などのネットワーク２６０を介して接続されている。また、読影医用システム２３０は、読影医用サーバ２４０と、画像サーバ２５０とを有する。
【００１８】
読影医用端末２１０は、たとえば、読影医によって操作され、読影用画像Ｐ４を出力するためのコンピュータである。読影医用端末２１０は、例えば、患者を識別するための情報である患者ＩＤが入力された場合に、患者ＩＤに対応する患者の読影用画像Ｐ４を出力する。
【００１９】
電子カルテサーバ２２０は、患者の診療情報を管理するサーバであり、電子カルテＤＢ２２１を有する。患者の診療情報とは、患者が受診した診察の履歴に関する情報であり、例えば、患者に実施された処置の内容や日時などが含まれる。電子カルテサーバ２２０は、他の端末からの要求に応じて、電子カルテＤＢ２２１に対するデータの書き込みや読み出しなどの処理を実行する。
【００２０】
電子カルテＤＢ２２１には、患者に実施された処置の処置情報が患者毎に記憶されている。処置とは、患者に実施される事象であり、例えば、手術や薬の投与などである。処置情報は、処置の詳細であり、例えば、手術の方式および実施部位や、投与された薬の名称や、処置が実施された処置日時などである。電子カルテＤＢ２２１の詳細は、図４に後述する。
【００２１】
読影医用サーバ２４０は、読影に用いられる情報を管理するサーバであり、読影医用ＤＢ２４１を有する。読影医用サーバ２４０は、他の端末からの要求に応じて、読影医用ＤＢ２４１に対するデータの書き込みや読み出しなどの処理を実行する。読影医用ＤＢ２４１は、検査ＤＢ２４２と、検査区分ＤＢ２４３と、画像情報ＤＢ２４４と、計測情報ＤＢ２４５とを含む。
【００２２】
検査ＤＢ２４２には、検査ＩＤ毎の検査情報が記憶されている。検査ＩＤとは、検査を識別するための識別情報であり、検査が実施される毎に設定される一意的な数である。検査情報とは、実施された検査に関する情報であり、例えば、検査が実施された際の診察の受付番号や、実施された検査の種別や、検査が実施された検査日時などである。検査ＤＢ２４２の詳細は、図５に後述する。
【００２３】
検査区分ＤＢ２４３には、検査区分ＩＤ毎の検査区分情報が記憶されている。検査区分ＩＤとは、検査区分を識別するための識別情報である。検査区分とは、実施された検査に対する検査内容の区分である。例えば、検査区分は、一人の患者に対する検査における、対象部位や検査日時や撮影方向などによる区分である。また、単一の検査ＩＤに対して一以上の検査区分が設定される。検査区分情報とは、実施された検査の検査区分を特定する情報であり、例えば、検査区分における検査内容や、検査区分に対応する検査画像の格納場所を示す画像格納パスなどが含まれる。検査区分ＤＢ２４３の詳細は、図６に後述する。
【００２４】
画像情報ＤＢ２４４には、検査画像毎の画像情報が記憶されている。検査画像とは、撮影検査における検査結果の画像である。撮影検査には、例えば、ＣＲ検査や、ＭＲＩ（Ｍａｇｎｅｔｉｃ  Ｒｅｓｏｎａｎｃｅ  Ｉｍａｇｉｎｅ）検査や、ＲＩ（Ｒａｄｉｏｉｓｏｔｏｐｅ）検査や、内視鏡検査や、デジタルカメラ検査などがある。検査画像には、ＣＲ画像や、ＭＲＩ画像や、ＲＩ画像や、内視鏡画像や、デジタルカメラ画像などがある。画像情報とは、検査画像を説明する情報であり、例えば、検査画像に対応する検査区分ＩＤや、検査画像における撮影箇所を特定する情報などである。また、画像情報の企画はＤＩＣＯＭ（Ｄｉｇｉｔａｌ  Ｉｍａｇｉｎｅ  ａｎｄ  Ｃｏｍｍｕｎｉｃａｔｕｉｏｎｓ  ｉｎ  Ｍｅｄｉｃｉｎｅ）である。画像情報ＤＢ２４４の詳細は、図７に後述する。
【００２５】
計測情報ＤＢ２４５には、検査画像毎の計測情報が記憶されている。計測情報とは、検査画像に対して実行された計測処理の情報である。計測処理とは、検査画像における所定の部位の情報を数値化することである。計測処理には、例えば、所定の部位間の距離を計測する距離計測処理、所定の部位の面積や体積を計測する面積計測処理や体積計測処理、異なる部位における距離などの情報の比率を計測する比率計測処理、所定の位置の角度を計測する角度計測処理などがある。計測情報には、例えば、計測処理の種別や、計測処理が実行された部位などがある。計測処理が実行された部位とは、計測処理の対象位置であり、例えば、「心臓」や、「左肺から心臓まで」などである。計測情報ＤＢ２４５の詳細は、図８に後述する。
【００２６】
画像サーバ２５０は、実施された検査の検査画像を管理するサーバであり、画像ＤＢ２５１を有する。画像サーバ２５０は、他の端末からの要求に応じて、画像ＤＢ２５１に対するデータの書き込みおよび読み出しを実行する。
【００２７】
画像ＤＢ２５１は、検査画像の画像データを画像ＩＤ毎に記憶する。画像ＩＤは、画像データを識別するための識別情報である。画像データには、撮影検査が実施された検査日時や、撮影検査が実施された患者の患者ＩＤや、撮影検査の撮影対象の部位の名称などの情報が付加されている。
【００２８】
（コンピュータのハードウェア構成）
図３は、実施の形態１にかかるコンピュータのハードウェア構成例を示すブロック図である。コンピュータとは、読影医用端末２１０と、電子カルテサーバ２２０と、読影医用サーバ２４０と、画像サーバ２５０と、のいずれであってもよい。図３において、コンピュータは、ＣＰＵ（Ｃｅｎｔｒａｌ  Ｐｒｏｃｅｓｓｉｎｇ  Ｕｎｉｔ）３０１と、ＲＯＭ（Ｒｅａｄ‐Ｏｎｌｙ  Ｍｅｍｏｒｙ）３０２と、ＲＡＭ（Ｒａｎｄｏｍ  Ａｃｃｅｓｓ  Ｍｅｍｏｒｙ）３０３と、磁気ディスクドライブ３０４と、磁気ディスク３０５と、光ディスクドライブ３０６と、光ディスク３０７と、Ｉ／Ｆ（Ｉｎｔｅｒｆａｃｅ）３０８と、キーボード３０９と、マウス３１０と、ディスプレイ３１１と、を備えている。また、各構成部はバス３００によってそれぞれ接続されている。
【００２９】
ここで、ＣＰＵ３０１は、コンピュータの全体の制御を司る。ＲＯＭ３０２は、ブートプログラムなどのプログラムを記憶している。ＲＡＭ３０３は、ＣＰＵ３０１のワークエリアとして使用される。磁気ディスクドライブ３０４は、ＣＰＵ３０１の制御にしたがって磁気ディスク３０５に対するデータのリード／ライトを制御する。磁気ディスク３０５は、磁気ディスクドライブ３０４の制御で書き込まれたデータを記憶する。
【００３０】
光ディスクドライブ３０６は、ＣＰＵ３０１の制御にしたがって光ディスク３０７に対するデータのリード／ライトを制御する。光ディスク３０７は、光ディスクドライブ３０６の制御で書き込まれたデータを記憶したり、光ディスク３０７に記憶されたデータをコンピュータに読み取らせたりする。
【００３１】
Ｉ／Ｆ３０８は、通信回線を通じてＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどのネットワーク２６０に接続され、このネットワーク２６０を介して他のコンピュータに接続される。そして、Ｉ／Ｆ３０８は、ネットワーク２６０と内部のインターフェースを司り、外部のコンピュータからのデータの入出力を制御する。Ｉ／Ｆ３０８には、例えば、モデムやＬＡＮアダプタなどを採用することができる。
【００３２】
キーボード３０９は、文字、数字、各種指示などの入力のためのキーを備え、データの入力を行う。また、タッチパネル式の入力パッドやテンキーなどであってもよい。マウス３１０は、カーソルの移動や範囲選択、あるいはウィンドウの移動やサイズの変更などを行う。ポインティングデバイスとして同様に機能を備えるものであれば、トラックボールやジョイスティックなどであってもよい。
【００３３】
ディスプレイ３１１は、カーソル、アイコンあるいはツールボックスをはじめ、文書、画像、機能情報などのデータを表示する。このディスプレイ３１１は、例えば、ＣＲＴ、ＴＦＴ液晶ディスプレイ、プラズマディスプレイなどを採用することができる。
【００３４】
つぎに、電子カルテＤＢ２２１の記憶内容について説明する。電子カルテＤＢ２２１は、例えば、電子カルテサーバ２２０のＲＯＭ３０２、ＲＡＭ３０３、磁気ディスク３０５、光ディスク３０７などの記憶装置により実現される。
【００３５】
（電子カルテＤＢ２２１の記憶内容）
図４は、電子カルテＤＢの記憶内容の一例を示す説明図である。図４において、電子カルテＤＢ２２１は、患者ＩＤ、実施術式、実施部位および処置日時のフィールドを有する。各フィールドに情報を設定することで、電子カルテ特性データ４００−１〜４００−ｒがレコードとして記憶されている。
【００３６】
ここで、患者ＩＤは、診察が行われた患者の識別番号である。実施術式は、実施された手術の術式である。術式とは、手術の方式であり、例えば、「フラップレス」や「バチスタ」などがある。実施部位は、手術を実施した対象となる部位であり、例えば、「口腔内」、「心臓」などがある。処置日時は、患者ＩＤに対応する患者に対して術式による手術が実施された日付である。例えば、処置日時が「２０１００９２８」である場合、２０１０年９月２８日に手術が行われたことを示している。
【００３７】
一例として、電子カルテ特性データ４００−１を例に挙げると、患者ＩＤ「００００００００１」、実施術式「フラップレス」、実施部位「口腔内」、処置日時「２０１１０２１１」が記憶されている。
【００３８】
つぎに、検査ＤＢ２４２の記憶内容について説明する。検査ＤＢ２４２は、例えば、読影医用サーバ２４０のＲＯＭ３０２、ＲＡＭ３０３、磁気ディスク３０５、光ディスク３０７などの記憶装置により実現される。
【００３９】
（検査ＤＢ２４２の記憶内容）
図５は、検査ＤＢ２４２の記憶内容の一例を示す説明図である。図５において、検査ＤＢ２４２は、検査ＩＤ、受付番号、患者ＩＤ、検査区分ＩＤおよび検査日時のフィールドを有する。各フィールドに情報を設定することで、検査特性データ５００−１〜５００−ｍがレコードとして記憶されている。
【００４０】
ここで、検査ＩＤは、実施された検査毎に異なる検査の識別情報である。受付番号は、診察毎に異なる番号であり、患者が受診のために病院に来院した際に発行される番号である。患者ＩＤは、検査が行われた患者の識別番号である。検査区分ＩＤは、検査区分毎に設定される情報であり、検査区分の識別情報である。検査日時は、患者ＩＤに対応する患者に対して検査が実施された日付である。
【００４１】
一例として、検査特性データ５００−１を例に挙げると、検査ＩＤ「＃１」、受付番号「１２３４５４３２１」、患者ＩＤ「７３６５２１４５６」、検査区分ＩＤ「７８９．４５６．１２３」、検査日時「２０１１０１２１」が記憶されている。
【００４２】
つぎに、検査区分ＤＢ２４３の記憶内容について説明する。検査区分ＤＢ２４３は、例えば、読影医用サーバ２４０のＲＯＭ３０２、ＲＡＭ３０３、磁気ディスク３０５、光ディスク３０７
などの記憶装置により実現される。
【００４３】
（検査区分ＤＢ２４３の記憶内容）
図６は、検査区分ＤＢ２４３の記憶内容の一例を示す説明図である。図６において、検査区分ＤＢ２４３は、検査ＩＤ、検査区分ＩＤ、モダリティおよび画像格納パスのフィールドを有する。各フィールドに情報を設定することで、検査区分特性データ６００−１〜６００−ｎがレコードとして記憶されている。
【００４４】
ここで、検査ＩＤは、実施された検査毎に設定される番号であり、検査の識別情報である。検査区分ＩＤは、検査区分毎に設定される情報であり、検査区分の識別情報である。モダリティは、実施された検査の方式であり、例えば、「ＣＲ」や「ＭＲＩ」などがある。画像格納パスは、検査区分ＩＤに対応する検査画像の画像データの画像ＤＢ２５１における格納場所を示している。
【００４５】
一例として、検査区分特性データ６００−１を例に挙げると、検査ＩＤ「＃１」、検査区分ＩＤ「７８９．４５６．１２３」、モダリティ「ＣＲ」、画像格納パス「２０１１／１／２１／ｃｒ／１２３４５６」が記憶されている。
【００４６】
つぎに、画像情報ＤＢ２４４の記憶内容について説明する。画像情報ＤＢ２４４は、例えば、読影医用サーバ２４０のＲＯＭ３０２、ＲＡＭ３０３、磁気ディスク３０５、光ディスク３０７などの記憶装置により実現される。
【００４７】
（画像情報ＤＢ２４４の記憶内容）
図７は、画像情報ＤＢ２４４の記憶内容の一例を示す説明図である。図７において、画像情報ＤＢ２４４は、検査区分ＩＤ、画像ＩＤ、スライス位置およびスライス方向のフィールドを有する。各フィールドに情報を設定することで、画像情報特性データ７００−１〜７００−ｐがレコードとして記憶されている。
【００４８】
ここで、検査区分ＩＤは、検査区分毎に設定される情報であり、検査区分の識別情報である。画像ＩＤは、画像毎に設定される画像の識別情報である。スライス位置は、検査画像を撮影した患者に対する位置であり、患者の規定の位置を原点として、原点から断層画像を撮影する面までの距離を示している。スライス方向は、患者に対する検査画像の断層の方向である。スライス方向には、例えば、「Ａｘｉａｌ」、「Ｃｏｒｏｎａｌ」、「Ｓａｇｉｔｔａｌ」などがある。
【００４９】
一例として、画像情報特性データ７００−１を例に挙げると、検査区分ＩＤ「７８９．４５６．１２３」、画像ＩＤ「１２３４５６．１」、スライス位置「−７６０．１２」、スライス方向「Ａｘｉａｌ」が記憶されている。
【００５０】
つぎに、計測情報ＤＢ２４５の記憶内容について説明する。計測情報ＤＢ２４５は、例えば、読影医用サーバ２４０のＲＯＭ３０２、ＲＡＭ３０３、磁気ディスク３０５、光ディスク３０７などの記憶装置により実現される。
【００５１】
（計測情報ＤＢ２４５の記憶内容）
図８は、計測情報ＤＢの記憶内容の一例を示す説明図である。図８において、計測情報ＤＢ２４５は、保存ＩＤ、画像ＩＤ、計測リストおよび計測部位のフィールドを有する。各フィールドに情報を設定することで、計測情報特性データ８００−１〜８００−ｑがレコードとして記憶されている。
【００５２】
ここで、保存ＩＤは、計測情報毎に異なる計測情報の識別情報である。実施された検査毎に設定される番号であり、検査の識別情報である。画像ＩＤは、画像毎に設定される画像の識別情報である。計測リストは、計測処理の種別を示しており、例えば、「距離計測」、「面積計測」、「体積計測」、「比率計測」、「角度計測」などである。計測部位は、計測処理の対象となる部位を示している。例えば、計測リスト「距離計測」、計測部位「左肺／心臓」である場合は、左肺から心臓までの距離計測処理が実行された旨を示している。
【００５３】
一例として、計測情報特性データ８００−１を例に挙げると、保存ＩＤ「００００００００１」、画像ＩＤ「１２３４５６．３」、計測リスト「距離計測」、計測部位「左肺／心臓」が記憶されている。
【００５４】
（読影医用端末２１０の機能的構成例）
つぎに、読影医用端末２１０の機能的構成例について説明する。図９は、実施の形態１にかかる読影医用端末２１０の機能的構成例を示すブロック図である。読影医用端末２１０は、受付部９０１と、日時抽出部９０２と、画像抽出部９０３と、出力部９０４と、画像取得部９０５と、情報抽出部９０６と、計測部９０７とを含む構成である。この制御部となる機能（受付部９０１〜計測部９０７）は、具体的には、例えば、図３に示したＲＯＭ３０２、ＲＡＭ３０３、磁気ディスク３０５、光ディスク３０７などの記憶装置に記憶されたプログラムをＣＰＵ３０１に実行させることにより、または、Ｉ／Ｆ３０８により、その機能を実現する。
【００５５】
読影医用端末２１０は、撮影検査の検査画像と撮影検査が実施された検査日時とが関連付けて患者の識別情報毎に記憶された第１データベースと、患者の識別情報毎に処置日時が関連付けて記憶された第２データベースと、にアクセス可能である。患者とは、検査や処置が実施される者である。患者の識別情報とは、患者を識別するために患者毎に設定される情報であり、例えば、患者ＩＤである。第１データベースは、撮影装置において撮影された撮影検査の検査画像が記憶されるデータベースであり、例えば、上述した画像ＤＢ２５１である。第２データベースは、患者に対して行われた診察の情報が登録されるデータベースであり、例えば、上述した電子カルテＤＢ２２１である。各データベースは、例えば、ＲＯＭ３０２、ＲＡＭ３０３、磁気ディスク３０５、光ディスク３０６などの記憶装置によって実現される。
【００５６】
データベースにアクセス可能であるとは、データベースに対する情報の読み出しや書き込みなどの処理を実行可能であるか、または、データベースに対する情報の読み出しや書き込みなどの処理を他の端末やサーバに行わせることが可能であるということである。第１データベースおよび第２データベースは、読影医用端末２１０とは異なる端末やサーバに含まれることとするが、これに限るものではなく、例えば、読影医用端末２１０が第１データベースおよび第２データベースを有することとしてもよい。
【００５７】
受付部９０１は、任意の患者の識別情報の入力を受け付ける。具体的には、受付部９０１は、患者の識別情報を含む信号を受信する。例えば、受付部９０１が、キーボード３０９やマウス３１０などが操作されることにより、患者の識別情報の入力を受け付ける。
【００５８】
日時抽出部９０２は、第２データベースから、受付部９０１によって受け付けられた識別情報に関連付けられている処置日時を抽出する。具体的には、日時抽出部９０２は、第２データベースにアクセスし、識別情報に関連付けられている処置日時を特定し、特定した処置日時の情報を取得する。例えば、日時抽出部９０２が、電子カルテサーバ２２０に対して患者ＩＤを送信し、送信した患者ＩＤに関連付けられた処置日時を電子カルテＤＢ２２１から特定させ、特定させた処置日時を電子カルテサーバ２２０から受信することにより、処置日時を抽出する。このように、図１に上述した手術の処置日時は、日時抽出部９０２によって抽出される。
【００５９】
また、日時抽出部９０２は、第１データベースから、受付部９０１によって受け付けられた識別情報に関連付けられている検査日時を抽出することとしてもよい。具体的には、日時抽出部９０２は、第１データベースにアクセスし、識別情報に関連付けられている検査日時を特定し、特定した検査日時の情報を取得する。例えば、日時抽出部９０２が、画像サーバ２５０に対して患者ＩＤを送信し、送信した患者ＩＤに関連付けられた検査日時を画像ＤＢ２５１から特定させ、特定させた検査日時を画像サーバ２５０から受信することにより、検査日時を抽出する。
【００６０】
画像取得部９０５は、被写体が撮影された第１画像と所定の計測処理とが関連付けられた情報と、第１画像とは異なる時期に被写体が撮影された第２画像とを取得する。被写体とは、撮影検査の検査対象であり、例えば、患者である。第１画像とは、例えば、処置前検査画像であり、第２画像とは、例えば、処置後検査画像である。また、画像取得部９０５は、画像抽出部９０３および情報抽出部９０６を含む。
【００６１】
画像抽出部９０３は、第１データベースから、日時抽出部９０２によって抽出された処置日時よりも前の検査日時となる処置前検査画像と、日時抽出部によって抽出された処置日時よりも後の検査日時となる処置後検査画像と、を抽出する。処置日時よりも前の検査日時となる処置前検査画像とは、処置が実行される以前に実行された検査の検査画像である。処置日時よりも後の検査日時となる処置後検査画像とは、処置が実行される以後に実行された検査の検査画像である。
【００６２】
具体的には、画像抽出部９０３は、第１データベースへアクセスし、処置前検査画像と処置後検査画像とを特定し、特定した処置前検査画像と処置後検査画像とを取得する。具体的には、例えば、画像抽出部９０３が、画像サーバ２５０に対して処置日時を送信し、処置日時より前の検査日時に関連付けられた検査画像を特定させ、特定させた検査画像を画像ＤＢ２５１から抽出する。また、例えば、画像抽出部９０３が、画像サーバ２５０に対して処置日時を送信する。そして、画像抽出部９０３が、処置日時より後の検査日時に関連付けられた検査画像を特定させ、特定させた検査画像を画像ＤＢ２５１から抽出する。このように、図１に上述したＣＲ画像Ｐ１〜Ｐ３は、画像抽出部９０３によって抽出される。
【００６３】
画像抽出部９０３は、もっとも新しい検査日時となる処置前検査画像を抽出することとしてもよい。もっとも新しい検査日時となる処置前検査画像とは、処置日時より前の検査日時に関連付けられた検査画像のうち、もっとも処置日時に近い検査日時に関連付けられた検査画像である。
【００６４】
画像抽出部９０３は、もっとも新しい検査日時となる処置後検査画像を抽出することとしてもよい。もっとも新しい検査日時となる処置後検査画像とは、処置日時より後の検査日時に関連付けられた検査画像のうち、もっとも処置日時から遠い検査日時に関連付けられた検査画像である。
【００６５】
また、画像抽出部９０３は、被写体が撮影された第１画像、第１画像とは異なる時期に被写体が撮影された第２画像とを抽出する。実施の形態１においては、第１画像および第２画像は、処置の前後の撮影画像とすることにより撮影時期が異なるものとしたが、撮影時期が異なるものであればこれに限るものではない。例えば、処置が実施されてから１週間後の検査画像を第１画像、２週間後の検査画像を第２画像としてもよい。
【００６６】
出力部９０４は、画像抽出部９０３によって抽出された処置前検査画像および処置後検査画像を出力する。具体的には、出力部９０４は、処置前検査画像および処置後検査画像の情報を送信する。例えば、出力部９０４が、ディスプレイ３１１に対して、処置前検査画像および処置後検査画像の情報を送信し、表示させることにより、処置前検査画像および処置後検査画像を出力する。出力先は、ディスプレイ３１１に限るものではなく、ＲＡＭ３０３、磁気ディスク３０５、光ディスク３０７、Ｉ／Ｆ３０８などであってもよい。このように、図１に上述した読影用画像Ｐ４は、出力部９０４によって出力される。
【００６７】
その際、出力部９０４は、日時抽出部９０２によって抽出された処置日時および検査日時を、画像抽出部９０３によって抽出された処置前検査画像および処置後検査画像とともに出力することとしてもよい。具体的には、出力部９０４は、処置日時および検査日時の情報を含む信号を、処置前検査画像および処置後検査画像を出力する出力先に送信する。例えば、出力部９０４が、処置日時および検査日時の文字列から成る検査リストを、処置前検査画像および処置後検査画像とともにディスプレイ３１１に表示する。
【００６８】
具体的には、例えば、画像抽出部９０３が、受け付けられた患者の識別情報の検査画像であり、関連付けられている検査日時が異なる検査画像を、画像ＤＢ２５１から特定し、特定した検査画像を取得する。
【００６９】
情報抽出部９０６は、第１画像に関連付けられた所定の計測処理の情報を抽出する。計測処理とは、上述したように、検査画像における所定の部位の情報を数値化する処理であり、例えば、距離計測処理、体積計測処理、比率計測処理、角度計測処理などがある。計測処理の情報には、計測処理の種類と、計測対象の部位とが含まれる。具体的には、情報抽出部９０６は、検査画像毎に計測処理の情報が関連付けられて記憶された計測データベースから、計測処理の情報を抽出する。計測データベースは、例えば、上述した計測情報ＤＢ２４５である。
【００７０】
より具体的には、例えば、情報抽出部９０６は、第１画像に付加されている第１画像の識別情報を抽出し、抽出した識別情報の計測処理を計測情報ＤＢ２４５にて特定し、特定した計測処理を取得する。すなわち、画像取得部９０５が、被写体が撮影された第１画像と所定の計測処理とが関連付けられた情報と、第１画像とは異なる時期に被写体が撮影された第２画像とを取得する。
【００７１】
計測部９０７は、画像取得部９０５によって取得された所定の計測処理を第１画像および第２画像に実行する。具体的には、計測部９０７は、検査画像における所定の部位の情報を数値化する。例えば、計測部９０７は、取得された計測処理が右肺から心臓までの距離の距離計測である場合、第１画像における右肺から心臓までの距離と、第２画像における右肺から心臓までの距離とを計測する。
【００７２】
出力部９０４は、計測部９０７による第１画像に対する計測処理の処理結果および第１画像を、第２画像に対する計測処理の処理結果および第２画像とともに出力する。具体的には、出力部９０４は、処理結果である数値と画像とを出力することである。例えば、出力部９０４は、計測部９０７によって第１画像に実行された右肺から心臓までの距離の距離計測の計測結果が１８０．５［ｍｍ］である場合、「１８０．５［ｍｍ］」の文字列を第１画像における右肺および心臓近傍に表示する。また、出力部９０４は、その際、具体的な部位の位置を指し示す指標とともに、各画像および計測結果を出力することとしてもよい。
【００７３】
（読影医用端末２１０の表示要求受付処理手順）
図１０は、実施の形態１にかかる読影医用端末の表示要求受付処理手順の一例を示すフローチャートである。表示要求受付処理は、ＣＰＵ３０１によって実行される処理である。表示要求受付処理において、読影医用端末２１０は、まず、受付番号および患者ＩＤの入力を受け付けたか否かを判定し（ステップＳ１００１）、受け付けていない場合（ステップＳ１００１：Ｎｏ）、受け付けるまで待機する。
【００７４】
ステップＳ１００１において、受付番号および患者ＩＤの入力を受け付けた場合（ステップＳ１００１：Ｙｅｓ）、読影医用端末２１０は、検査ＤＢ２４２から、入力された患者ＩＤに対応する検査情報を取得する（ステップＳ１００２）。そして、読影医用端末２１０は、電子カルテＤＢ２２１から、入力された患者ＩＤに対応する処置情報を取得し（ステップＳ１００３）、取得した検査情報および処置情報を、検査リストとして表示する（ステップＳ１００４）。
【００７５】
その後、読影医用端末２１０は、検査区分ＤＢ２４３から、検査情報に含まれる検査区分ＩＤに対応した検査区分情報を取得する（ステップＳ１００５）。そして、読影医用端末２１０は、画像情報ＤＢ２４４から、検査区分ＩＤに対応した画像情報を取得する（ステップＳ１００６）。そして、読影医用端末２１０は、取得した検査区分情報に含まれる画像格納パスと画像情報に含まれる画像ＩＤとに基づいて、画像ＤＢ２５１から検査画像の画像データを取得する（ステップＳ１００７）。
【００７６】
ステップＳ１００７の後、読影医用端末２１０は、画像データにおける撮影対象の対象部位の情報を、画像データから抽出する（ステップＳ１００８）。そして、読影医用端末２１０は、取得した処置情報を参照して、抽出した対象部位に関する手術歴があるか否かを判定する（ステップＳ１００９）。具体的には、読影医用端末２１０は、抽出した対象部位と一致する手術の実施部位が、取得した処置情報に含まれるか否かを判定する。手術歴がある場合（ステップＳ１００９：Ｙｅｓ）、読影医用端末２１０は、比較画像表示処理を行い（ステップＳ１０１０）、本フローチャートの一連の処理を終了する。比較画像表示処理は、手術の前後の検査画像を出力する処理であり、その詳細は、図１１に後述する。
【００７７】
また、ステップＳ１００９において、手術歴がない場合（ステップＳ１００９：Ｎｏ）、読影医用端末２１０は、取得した画像データをディスプレイ３１１に出力することにより検査画像を表示し（ステップＳ１０１１）、本フローチャートの一連の処理を終了する。ステップＳ１００９において、手術歴がないとは、すなわち、取得した画像データに対する経過観察の比較対象とする検査画像がないことを示している。そのため、読影医用端末２１０は、取得した検査画像の画像データのみを表示し、読影医に読影させる。
【００７８】
読影医用端末２１０は、上述した表示要求受付処理を行うことにより、検査リストを表示することができる。これにより、読影医に対して、患者に実施された処置や検査の履歴を視覚的に理解させることができ、読影に役立たせることができる。
【００７９】
また、読影医用端末２１０は、上述した表示要求受付処理を行うことにより、読影対象となる検査画像を表示することができる。これにより、読影医に対して、読影を行わせることができる。
【００８０】
（読影医用端末２１０の比較画像表示処理手順）
図１１は、実施の形態１にかかる読影医用端末の比較画像表示処理手順の一例を示すフローチャートである。比較画像表示処理は、ＣＰＵ３０１によって実行される処理であり、図１０のステップＳ１０１０に示した処理である。比較画像表示処理において、読影医用端末２１０は、まず、ステップＳ１００７において取得した画像データの検査画像が、処置よりも後に実施された撮影検査の検査画像であるか否か、すなわち、処置後検査画像であるか否かを判定する（ステップＳ１１０１）。
【００８１】
具体的には、読影医用端末２１０は、取得した画像データに付加されている検査日時が、処置情報に含まれる手術の処置日時よりも後であるか否かを判定する。また、検査日時の前後に処置日時がある場合は、画像データに付加されている検査日時と比較する処置日時として、検査日時にもっとも近い処置日時や、もっとも新しい処置日時を選択することとしてもよいし、また、ユーザに選択させることとしてもよい。
【００８２】
ステップＳ１１０１において、処置後検査画像である場合（ステップＳ１１０１：Ｙｅｓ）、読影医用端末２１０は、取得した処置情報から、手術の処置日時のうち最新の処置日時を抽出する（ステップＳ１１０２）。その後、読影医用端末２１０は、抽出した最新の処置日時のよりも前に実施された撮影検査の検査情報のうち、もっとも新しい日時に実施された検査の検査情報を、取得した検査情報から抽出する（ステップＳ１１０３）。
【００８３】
そして、読影医用端末２１０は、ステップＳ１１０３において抽出した検査情報に基づいて、ステップＳ１１０２において抽出された手術の処置日時の直前に実施された撮影検査の検査画像の画像データを画像サーバ２５０から取得する（ステップＳ１１０４）。直前に実施された撮影検査とは、手術の処置日時よりも前の検査日時のうち、もっとも新しい検査日時の撮影検査である。
【００８４】
そして、読影医用端末２１０は、ステップＳ１１０４において取得した画像データの画像ＩＤと計測情報ＤＢ２４５を参照して、取得した画像データに対する計測情報が計測情報ＤＢ２４５に記憶されているか否かを判定する（ステップＳ１１０５）。記憶されている場合（ステップＳ１１０５：Ｙｅｓ）、読影医用端末２１０は、計測情報ＤＢ２４５から該当する計測情報を取得する（ステップＳ１１０６）。
【００８５】
また、読影医用端末２１０は、取得した計測情報に含まれる計測処理を、ステップＳ１００７およびステップＳ１１０４において取得した検査画像の画像データに対して実行する（ステップＳ１１０７）。そして、読影医用端末２１０は、計測処理の処理結果を各画像データに添付する（ステップＳ１１０８）。
【００８６】
そして、読影医用端末２１０は、ステップＳ１００７およびステップＳ１１０４において取得した検査画像の画像データを並べてディスプレイ３１１に出力し（ステップＳ１１０９）、本フローチャートの一連の処理を終了する。また、ステップＳ１１０５において、取得した画像データに対する計測情報が計測情報ＤＢ２４５に記憶されていない場合（ステップＳ１１０５：Ｎｏ）、読影医用端末２１０は、ステップＳ１１０９へ移行する。
【００８７】
これにより、手術よりも前に実施された検査の処置前検査画像と、手術よりも後に実施された検査の処置後検査画像とを並べて表示することができる。すなわち、読影医用端末２１０は、読影用画像Ｐ４を出力することができる。
【００８８】
また、ステップＳ１１０９では、ステップＳ１１０８において計測処理の処理結果が各画像データに添付されている場合、読影医用端末２１０は、添付された処理結果とともに各画像データを出力する。これにより、同一の計測処理を実行した処置前検査画像と処置後検査画像とを出力することができる。
【００８９】
また、ステップＳ１１０１において、入力された受付番号に対応する検査が、手術が実施されるよりも前の検査である場合（ステップＳ１１０１：Ｎｏ）、読影医用端末２１０は、取得した処置情報から、手術の処置日時のうち最新の処置日時を抽出する（ステップＳ１１１０）。
【００９０】
その後、読影医用端末２１０は、もっとも新しい日時に実施された検査の検査情報を、取得した検査情報から抽出する（ステップＳ１１１１）。そして、読影医用端末２１０は、ステップＳ１１０３において抽出した検査情報に基づいて、最新の撮影検査の検査画像の画像データを画像サーバ２５０から取得し（ステップＳ１１１２）、ステップＳ１１０９へ移行する。
【００９１】
読影医用端末２１０は、上述した比較画像表示処理を行うことにより、手術の処置前検査画像と処置後検査画像とを並べた読影用画像Ｐ４をディスプレイ３１１に表示することができる。これにより、患者ＩＤおよび受付番号を入力したユーザに対して、読影用画像Ｐ４を提供することができる。したがって、ユーザに対して、読影に用いる検査画像を検索させることなく、効率的に経過観察を行わせることができる。
【００９２】
また、読影医用端末２１０は、上述した比較画像表示処理を行うことにより、処置前検査画像に実行した計測処理を処置後検査画像にも実行し、各計測処理の処理結果を添付した検査画像を表示することができる。すなわち、撮影時期の異なる複数の検査画像に対して同様の計測処理を行い、各検査画像に計測処理の各結果を添付することができる。これにより、計測処理の種別や部位の選択を再度ユーザに行わせることなく、撮影時期が異なる複数の検査画像に対して、計測処理結果を添付することができ、ユーザに効率的に経過観察を行わせることができる。
【００９３】
（読影医用端末２１０の計測情報登録処理手順）
図１２は、実施の形態１にかかる読影医用端末の計測情報登録処理手順の一例を示すフローチャートである。計測情報登録処理は、ＣＰＵ３０１によって実行される処理である。計測情報登録処理において、読影医用端末２１０は、まず、検査画像に対して計測要求の入力を受け付けたか否かを判定し（ステップＳ１２０１）、受け付けない場合（ステップＳ１２０１：Ｎｏ）、受け付けるまで待機する。計測要求の入力を受け付けるとは、計測処理の種別および計測処理の対象の部位がユーザによって選択されることである。
【００９４】
ステップＳ１２０１において、計測要求の入力を受け付けた場合（ステップＳ１２０１：Ｙｅｓ）、読影医用端末２１０は、入力された計測要求に応じた種別の計測処理を実行する（ステップＳ１２０２）。そして、読影医用端末２１０は、計測処理の処理結果を添付する（ステップＳ１２０３）。具体的には、読影医用端末２１０は、処理結果の数値および単位の文字列を、計測対象の部位を指し示すように添付する。
【００９５】
その後、読影医用端末２１０は、読影医用サーバ２４０に対して、実行した計測処理の種別および部位の情報を、計測情報として計測情報ＤＢ２４５に登録させ（ステップＳ１２０４）、本フローチャートの一連の処理を終了する。
【００９６】
図１２に示した計測情報登録処理を実行することにより、読影医用端末２１０は、計測情報を登録することができる。ここで登録された計測情報は、上述した図１１のステップＳ１１０５〜Ｓ１１０８において用いられる。
【００９７】
（読影医用端末２１０のディスプレイ３１１の表示例）
図１３は、実施の形態１にかかる読影医用端末のディスプレイの表示例を示す説明図である。図１３におけるディスプレイ３１１の表示例１３００は、読影用画像Ｐ４の表示例を示しており、処置前検査画像１３０１と、処置後検査画像１３０２と、検査リスト１３０３とを含む。
【００９８】
表示例１３００において、ディスプレイ３１１には処置前検査画像１３０１と処置後検査画像１３０２とを含む読影用画像Ｐ４が表示される。これにより、ユーザに対して、患者に実施された処置の前後の経過観察を行わせることができる。また、患者ＩＤの入力を受け付けた場合に読影用画像Ｐ４を出力することができるため、ユーザに対して経過観察の対象となる検査画像を検索させることなく、効率的に経過観察を行わせることができる。
【００９９】
また、処置前検査画像１３０１は、右肺と心臓との間の距離計測処理の処理結果１３０４を含み、処置後検査画像１３０２は、右肺と心臓との間の距離計測処理の処理結果１３０５を含む。表示例１３００では、処理結果１３０４が１８５．５［ｍｍ］、処理結果１３０５が１８５．０［ｍｍ］である。これにより、例えば、読影医に対して、処置後検査画像１３０２の方が処置前検査画像１３０１よりも、右肺と心臓との距離が短くなっていることを認識させることができる。患者ＩＤの入力を受け付けた際に、各検査結果を含む読影用画像Ｐ４を出力することができるため、ユーザに対して計測処理の種別を選択させる手間をかけさせることなく、効率的に経過観察を行わせることができる。
【０１００】
また、検査リスト１３０３は、事象と、該事象に対する日時とが関連付けられて表示される。これにより、読影医用端末２１０は、ユーザに対して、読影対象の患者の検査歴と処置履歴とを一目で判断させることができる。したがって、前回の検査からの経過時間や、処置からの経過時間などに基づいた経過観察を、ユーザに容易に行わせることができる。
【０１０１】
また、検査リスト１３０３には、読影用画像Ｐ４として表示中の検査画像に対応する検査を、「表示」の項目に示している。例えば、表示の欄に「Ｒ」が記載されている事象に対する検査画像を、ディスプレイ３１１のユーザから見て右側に表示しており、表示の欄に「Ｌ」が記載されている事象に対する検査画像を、ディスプレイ３１１のユーザから見て左側に表示している。図示の例では、例えば、処置前検査画像１３０１は、２０１０年４月１日の１０時０分０秒に実施されたＣＲ検査の検査画像であり、処置後検査画像１３０２は、２０１０年６月９日の１３時０分０秒に実施されたＣＲ検査の検査画像であることを、ユーザに一目で認識させることができる。
【０１０２】
これにより、ユーザに対して、表示中の検査画像がいずれの検査に対応する検査画像であるかを一目で認識させることができ、その前後に実施された検査や処置を考慮した経過観察を行わせることができる。
【０１０３】
以上説明した実施の形態１にかかる読影医用端末２１０によれば、患者ＩＤの入力を受け付けた場合に、手術の処置日時を抽出し、処置日時よりも前の検査日時である処置前検査画像と、処置日時よりも後の検査日時である処置後検査画像とを、出力することとした。これにより、ユーザに検査画像を検索させることなく、処置の前後の検査画像を出力することができる。したがって、ユーザに対して、効率的に処置の経過観察を行わせることができる。
【０１０４】
また、上述したように、読影医用端末２１０は、患者ＩＤと受付番号に基づいて検査画像を抽出するとともに処置日時を取得し、取得した処置日時に基づいて、処置前検査画像および処置後検査画像のいずれかを取得することとしたが、これに限るものではない。例えば、読影医用端末２１０は、患者ＩＤの入力を受け付けた場合に、患者ＩＤに対応する処置日時を取得し、該処置日時の前後の検査日時に対応する検査画像を取得することとしてもよい。
【０１０５】
また、実施の形態１にかかる読影医用端末２１０によれば、検査日時と処置日時との検査リストを、処置前検査画像および処置後検査画像とともに出力することとした。これにより、ユーザに対して、処置の履歴と検査の履歴とを一目で認識させることができるため、処置と検査の間の経過時間や、検査間の経過時間などに基づいた経過観察を行わせることができる。
【０１０６】
また、実施の形態１にかかる読影医用端末２１０によれば、処置後検査画像に対して、処置前検査画像に関連付けて記憶された計測処理を実行し、処理結果を添付した処置後検査画像と処置前検査画像とを表示することとした。すなわち、撮影時期の異なる検査画像のうち一の検査画像に計測情報が関連付けられている場合、該計測処理を他の検査画像に対しても実行し、各計測結果を添付した検査画像を並べて表示することとした。
【０１０７】
これにより、計測処理の種別や対象部位をユーザに選択させることなく、撮影時期が異なり、同一の計測処理を実行した検査画像を、並べて表示することができる。したがって、ユーザに手間をかけさせることなく、撮影時期の異なる検査画像に対する経過観察を行わせることができる。
【０１０８】
また、実施の形態１において、読影医用端末２１０は、計測情報ＤＢ２４５に、処置前検査画像の計測情報が含まれる場合に、該計測情報に含まれる計測処理を処置後検査画像に実行することとしたが、撮影時期の異なる検査画像であれば、これに限るものではない。例えば、読影医用端末２１０は、処置後検査画像の計測情報が含まれる場合に、該計測情報に含まれる計測処理を処置前検査画像に実行することとしてもよい。すなわち、読影医用端末２１０は、画像取得部９０５、計測部９０７、出力部９０４を含み、撮影時期の異なる検査画像に対して、上述したステップＳ１００７，Ｓ１１０６，Ｓ１１０７，Ｓ１１０９のみを実行することとしてもよい。
【０１０９】
また、実施の形態１において、読影医用端末２１０は、処置日時の前後の検査日時に関連付けられた検査画像を抽出して出力することにより、同日に処置をまたいだ検査が複数回実施された場合であっても、ユーザに効率的に処置の経過観察を行わせることができる。なお、読影医用端末２１０は、処置日時の前後の検査日時に関連付けられた検査画像を抽出して出力することとしたが、これに限るものではない。例えば、処置日付の前後の検査日付に関連付けられた検査画像を抽出することとしてもよい。処置日付とは、処置が実施された日付であり、検査日付とは、検査が実施された日付である。
【０１１０】
また、上述したように、読影医用端末２１０は、患者ＩＤおよび受付番号が入力された場合に処置前検査画像および処置後検査画像を取得することとしたが、処置前検査画像および処置後検査画像を出力可能であれば、これに限るものではない。例えば、読影医用端末２１０は、処置前検査画像および処置後検査画像のいずれか一方を予め記憶しており、患者ＩＤが入力された場合に、処置前検査画像および処置後検査画像のうち、記憶していない検査画像を処置日時に基づいて取得することとしてもよい。その詳細については、実施の形態２にて説明する。
【０１１１】
＜実施の形態２＞
つぎに、本発明にかかる情報提供プログラム、情報提供装置および情報提供方法の実施の形態２について説明する。実施の形態１では、読影医用端末２１０が取得した検査画像を出力することとしたが、実施の形態２では、読影医用端末２１０が、予め記憶している検査画像と取得した検査画像とを出力することとする。なお、実施の形態１で説明した箇所と同一箇所については同一符号を付しその説明を省略する。
【０１１２】
（読影医用端末２１０の機能的構成例）
まず、読影医用端末２１０の機能的構成例について説明する。図１４は、実施の形態２にかかる読影医用端末２１０の機能的構成例を示すブロック図である。読影医用端末２１０は、受付部９０１と、日時抽出部９０２と、特定部１４０１と、判断部１４０２と、画像抽出部１４０３と、出力部１４０４とを含む構成である。この制御部となる機能（受付部９０１〜出力部１４０４）は、具体的には、例えば、図３に示したＲＯＭ３０２、ＲＡＭ３０３、磁気ディスク３０５、光ディスク３０７などの記憶装置に記憶されたプログラムをＣＰＵ３０１に実行させることにより、または、Ｉ／Ｆ３０８により、その機能を実現する。
【０１１３】
読影医用端末２１０は、撮影検査の検査画像と撮影検査が実施された検査日時とが関連付けて患者の識別情報毎に記憶された第１データベースと、患者の識別情報毎に処置日時が関連付けて記憶された第２データベースと、にアクセス可能である。
【０１１４】
特定部１４０１は、日時抽出部９０２によって抽出された処置日時よりも前の検査日時となる処置前検査画像と、日時抽出部９０２によって抽出された処置日時よりも後の検査日時となる処置後検査画像とを、第１データベースから特定する。具体的には、特定部１４０１は、第１データベースに記憶された検査画像のうち、処置前検査画像および処置後検査画像であるかを区別することである。例えば、特定部１４０１は、第１データベース内の検査画像のうち、関連付けられた検査日時が処置日時より前の検査画像を処置前検査画像、関連付けられた検査日時が処置日時より後の検査画像を処置後検査画像として区別することにより、特定する。
【０１１５】
判断部１４０２は、特定部１４０１によって特定された処置前検査画像および処置後検査画像のうち少なくともいずれか一方の検査画像が、コンピュータ内の記憶装置に記憶済みか否かを判断する。具体的には、判断部１４０２は、記憶装置に記憶されているか否かの判定を行うことである。例えば、判断部１４０２が、記憶装置内に記憶されているデータに、特定された処置前検査画像または処置後検査画像が存在するか否かを判定する。コンピュータ内の記憶装置とは、コンピュータに含まれる記憶領域を有する媒体であり、例えば、上述したＲＡＭ３０３、磁気ディスク３０５、光ディスク３０７などである。
【０１１６】
画像抽出部１４０３は、処置前検査画像および処置後検査画像のうち、判断部１４０２によって記憶済みであると判断されなかった検査画像を、第１データベースから抽出する。判断部１４０２によって、処置前検査画像が記憶済みであると判断された場合、判断されなかった検査画像とは処置後検査画像であり、処置後検査画像が記憶済みであると判断された場合、判断されなかった検査画像とは処置前検査画像である。また、判断部１４０２によって、処置前検査画像および処置後検査画像が記憶済みでないと判断された場合、判断されなかった検査画像とは処置前検査画像および処置後検査画像である。
【０１１７】
出力部１４０４は、画像抽出部１４０３によって抽出された検査画像と記憶装置に記憶済みの検査画像とを出力する。具体的には、出力部１４０４は、記憶装置から検査画像を抽出し、抽出した検査画像のデータの信号を送信することである。例えば、出力部１４０４が、抽出された処置後検査画像と、記憶済みの処置前検査画像とをディスプレイ３１１に表示する。また、例えば、出力部１４０４が、抽出された処置前検査画像と、記憶済みの処置後検査画像とをディスプレイ３１１に表示する。
【０１１８】
（読影医用端末２１０の読影用画像出力処理手順）
図１５は、実施の形態２にかかる読影医用端末の読影用画像出力処理手順の一例を示すフローチャートである。読影用画像出力処理は、ＣＰＵ３０１によって実行される処理である。読影用画像出力処理において、読影医用端末２１０は、まず、患者ＩＤの入力を受け付けたか否かを判定し（ステップＳ１５０１）、受け付けていない場合（ステップＳ１５０１：Ｎｏ）、受け付けるまで待機する。
【０１１９】
ステップＳ１５０１において、患者ＩＤの入力を受け付けた場合（ステップＳ１５０１：Ｙｅｓ）、読影医用端末２１０は、電子カルテＤＢ２２１から、入力された患者ＩＤに対応する処置情報を取得する（ステップＳ１５０２）。そして、読影医用端末２１０は、取得した処置情報に含まれる処置日時と、入力された患者ＩＤに基づいて、画像ＤＢ２５１に含まれる検査画像から、処置前検査画像と処置後検査画像とを特定する（ステップＳ１５０３）。
【０１２０】
具体的には、読影医用端末２１０は、入力された患者ＩＤが付加された画像データのうち、処置日時よりも後の検査日時の検査画像を処置後検査画像、処置日時よりも前の検査日時の検査画像を処置前検査画像として特定する。また、その際、読影医用端末２１０は、取得した処置情報に含まれる手術の実施部位と共通の部位に対する検査の検査画像を特定する。例えば、読影医用端末２１０は、処置情報に、腹部に関する手術の情報が含まれる場合は、腹部を対象として実施された撮影検査の検査画像を特定する。
【０１２１】
ステップＳ１５０３の後、読影医用端末２１０は、ステップＳ１５０３において特定した検査画像の画像ＩＤを画像サーバ２５０から取得する（ステップＳ１５０４）。そして、読影医用端末２１０は、特定した処置前検査画像を記憶領域に記憶しているか否かを判定する（ステップＳ１５０５）。その際、読影医用端末２１０は、ステップＳ１５０４において取得した画像ＩＤが、記憶領域に記憶されている検査画像の画像ＩＤに含まれるか否かを判定する。
【０１２２】
ステップＳ１５０５において、特定した処置前検査画像を記憶していない場合（ステップＳ１５０５：Ｎｏ）、読影医用端末２１０は、特定した処置前検査画像を画像ＤＢ２５１から抽出する（ステップＳ１５０６）。その際、複数の処置前検査画像が画像ＤＢ２５１に記憶されている場合は、最新の処置前検査画像を取得することとする。
【０１２３】
ステップＳ１５０６の後、またはステップＳ１５０５において、特定した処置前検査画像を記憶している場合（ステップＳ１５０５：Ｙｅｓ）、読影医用端末２１０は、特定した処置後検査画像を記憶領域に記憶しているか否かを判定する（ステップＳ１５０７）。      
【０１２４】
ステップＳ１５０７において、特定した処置後検査画像を記憶していない場合（ステップＳ１５０７：Ｎｏ）、読影医用端末２１０は、特定した処置後検査画像を画像ＤＢ２５１から抽出する（ステップＳ１５０６）。その際、複数の処置後検査画像が画像ＤＢ２５１に記憶されている場合は、最新の処置前検査画像を取得することとする。
【０１２５】
ステップＳ１５０８の後、またはステップＳ１５０７において、特定した処置後検査画像を記憶している場合（ステップＳ１５０７：Ｙｅｓ）、読影医用端末２１０は、処置前検査画像と、処置後検査画像とを出力する（ステップＳ１５０９）。その際、読影医用端末２１０は、処置前検査画像および処置後検査画像のうち、いずれか一方を記憶している場合は、記憶している検査画像と、取得した検査画像とを出力する。また、読影医用端末２１０は、処置前検査画像および処置後検査画像のうち、いずれの検査画像も記憶していない場合は、取得した検査画像を出力する。また、読影医用端末２１０は、処置前検査画像および処置後検査画像を記憶している場合は、記憶している検査画像を出力する。そして、ステップＳ１５０９の後、読影医用端末２１０は、本フローチャートの一連の処理を終了する。
【０１２６】
以上説明した実施の形態２にかかる読影医用端末２１０によれば、取得した検査画像、または予め記憶されている検査画像から、処置前検査画像および処置後検査画像を抽出し、抽出した検査画像を出力することとした。これにより、処置前検査画像および処置後検査画像のうち少なくともいずれか一方が記憶されている場合にも、ユーザに検査画像を検索させることなく、処置の前後の検査画像を出力することができる。したがって、ユーザに対して、効率的に処置の経過観察を行わせることができる。
【０１２７】
なお、本実施の形態で説明した情報提供方法は、予め用意されたプログラムをパーソナル・コンピュータやワークステーション等のコンピュータで実行することにより実現することができる。本情報提供プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また本情報提供プログラムは、インターネット等のネットワークを介して配布してもよい。
【０１２８】
上述した実施の形態に関し、さらに以下の付記を開示する。
【０１２９】
（付記１）撮影検査の検査画像と前記撮影検査が実施された検査日とが関連付けて患者の識別情報毎に記憶された第１データベースと、前記患者の識別情報毎に処置日が関連付けて記憶された第２データベースと、にアクセス可能なコンピュータに、
任意の患者の識別情報の入力を受け付ける受付処理と、
前記第２データベースから、前記受付処理によって受け付けられた識別情報に関連付けられている処置日を抽出する日付抽出処理と、
前記第１データベースから、前記日付抽出処理によって抽出された処置日よりも前の検査日となる処置前検査画像と、前記日付抽出処理によって抽出された処置日よりも後の検査日となる処置後検査画像と、を抽出する画像抽出処理と、
前記画像抽出処理によって抽出された処置前検査画像および処置後検査画像を出力する出力処理と、
を実行させることを特徴とする情報提供プログラム。
【０１３０】
（付記２）撮影検査の検査画像と前記撮影検査が実施された検査日とが関連付けて患者の識別情報毎に記憶された第１データベースと、前記患者の識別情報毎に処置日が関連付けて記憶された第２データベースと、にアクセス可能なコンピュータに、
任意の患者の識別情報の入力を受け付ける受付処理と、
前記第２データベースから、前記受付処理によって受け付けられた識別情報に関連付けられている処置日を抽出する日付抽出処理と、
前記日付抽出処理によって抽出された処置日よりも前の検査日となる処置前検査画像と、前記日付抽出処理によって抽出された処置日よりも後の検査日となる処置後検査画像とを、前記第１データベースから特定する特定処理と、
前記特定処理によって特定された処置前検査画像および処置後検査画像のうち少なくともいずれか一方の検査画像が、前記コンピュータ内の記憶装置に記憶済みか否かを判断する判断処理と、
前記処置前検査画像および前記処置後検査画像のうち、前記判断処理によって記憶済みであると判断されなかった検査画像を、前記第１データベースから抽出する画像抽出処理と、
前記画像抽出処理によって抽出された検査画像と前記記憶装置に記憶済みの検査画像とを出力する出力処理と、
を実行させることを特徴とする情報提供プログラム。
【０１３１】
（付記３）前記画像抽出処理は、前記処置日よりも前であって、該処置日にもっとも近い検査日に対応する前記処置前検査画像を抽出することを特徴とする付記１または２に記載の情報提供プログラム。
【０１３２】
（付記４）前記画像抽出処理は、前記処置日よりも後であって、該処置日にもっとも近い検査日に対応する前記処置後検査画像を抽出することを特徴とする付記１〜３のいずれか一つに記載の情報提供プログラム。
【０１３３】
（付記５）前記日付抽出処理は、前記第１データベースから、前記受付処理によって受け付けられた識別情報に関連付けられている検査日を抽出し、
前記出力処理は、前記日付抽出処理によって抽出された処置日および検査日を、前記画像抽出処理によって抽出された処置前検査画像および処置後検査画像とともに出力することを特徴とする付記１〜４のいずれか一つに記載の情報提供プログラム。
【０１３４】
（付記６）前記コンピュータに、
被写体が撮影された第１画像と所定の計測処理とが関連付けられた情報と、前記第１画像とは異なる時期に前記被写体が撮影された第２画像とを取得する画像取得処理と、
前記画像取得処理によって取得された前記所定の計測処理を前記第１画像および前記第２画像に実行する計測処理と、を実行させ、
前記出力処理は、
前記計測処理による前記第１画像に対する前記計測処理の処理結果および前記第１画像を、前記第２画像に対する前記計測処理の処理結果および前記第２画像とともに出力することを特徴とする付記１〜５のいずれか一つに記載の情報提供プログラム。
【０１３５】
（付記７）被写体が撮影された第１画像と所定の計測処理とが関連付けられた情報と、前記第１画像とは異なる時期に前記被写体が撮影された第２画像とを取得する画像取得処理と、
前記画像取得処理によって取得された前記所定の計測処理を前記第１画像および前記第２画像に実行する計測処理と、
前記計測処理による前記第１画像に対する前記計測処理の処理結果および前記第１画像を、前記第２画像に対する前記計測処理の処理結果および前記第２画像とともに出力する出力処理と、
をコンピュータに実行させることを特徴とする情報提供プログラム。
【０１３６】
（付記８）撮影検査の検査画像と前記撮影検査が実施された検査日とが関連付けて患者の識別情報毎に記憶された第１データベースと、前記患者の識別情報毎に処置日が関連付けて記憶された第２データベースと、にアクセス可能な情報提供装置であって、
任意の患者の識別情報の入力を受け付ける受付部と、
前記第２データベースから、前記受付部によって受け付けられた識別情報に関連付けられている処置日を抽出する日付抽出部と、
前記第１データベースから、前記日付抽出部によって抽出された処置日よりも前の検査日となる処置前検査画像と、前記日付抽出部によって抽出された処置日よりも後の検査日となる処置後検査画像と、を抽出する画像抽出部と、
前記画像抽出部によって抽出された処置前検査画像および処置後検査画像を出力する出力部と、
を備えることを特徴とする情報提供装置。
【０１３７】
（付記９）撮影検査の検査画像と前記撮影検査が実施された検査日とが関連付けて患者の識別情報毎に記憶された第１データベースと、前記患者の識別情報毎に処置日が関連付けて記憶された第２データベースと、にアクセス可能なコンピュータが、
任意の患者の識別情報の入力を受け付ける受付処理と、
前記第２データベースから、前記受付処理によって受け付けられた識別情報に関連付けられている処置日を抽出する日付抽出処理と、
前記第１データベースから、前記日付抽出処理によって抽出された処置日よりも前の検査日となる処置前検査画像と、前記日付抽出処理によって抽出された処置日よりも後の検査日となる処置後検査画像と、を抽出する画像抽出処理と、
前記画像抽出処理によって抽出された処置前検査画像および処置後検査画像を出力する出力処理と、
を実行することを特徴とする情報提供方法。
【符号の説明】
【０１３８】
２１０  読影医用端末
２２０  電子カルテサーバ
２２１  電子カルテＤＢ
２３０  読影医用システム
２４０  読影医用サーバ
２４１  読影医用ＤＢ
２４２  検査ＤＢ
２４３  検査区分ＤＢ
２４４  画像情報ＤＢ
２４５  計測情報ＤＢ
２５０  画像サーバ
２５１  画像ＤＢ
２６０  ネットワーク
９０１  受付部
９０２  日時抽出部
９０３  画像抽出部
９０４  出力部
９０５  画像取得部
９０６  情報抽出部
９０７  計測部
１３０３  検査リスト
１４０１  特定部
１４０２  判断部
１４０３  画像抽出部
１４０４  出力部
【図１】
0005664384.tif 000002
【図２】
0005664384.tif 000003
【図３】
0005664384.tif 000004
【図４】
0005664384.tif 000005
【図５】
0005664384.tif 000006
【図６】
0005664384.tif 000007
【図７】
0005664384.tif 000008
【図８】
0005664384.tif 000009
【図９】
0005664384.tif 000010
【図１０】
0005664384.tif 000011
【図１１】
0005664384.tif 000012
【図１２】
0005664384.tif 000013
【図１３】
0005664384.tif 000014
【図１４】
0005664384.tif 000015
【図１５】
0005664384.tif 000016